(57)【要約】【課題】画像を生成するための方法およびシステムを提供すること。【解決手段】１つのシステムは、プロセッサを含む。そのプロセッサは、画像生成設定を受信し、被写体のＣＴスキャンによって生成された投影データを受信し、前記投影データに基づいて第１の３次元のデータセットを自動的に生成するように構成され、その第１の３次元のデータセットはその被写体の第１の視野を有する。そのプロセッサはまた、その投影データおよびその画像生成設定に基づいて第２の３次元のデータセットを自動的に生成するように構成される。第２の３次元のデータセットは、少なくとも１次元で第１の視野よりも小さい、その被写体の第２の視野を有する。一実施形態で、第２の３次元のデータセットは、少なくとも１つのネットワークを介してサービス提供者に送信される。【選択図】図２
2014151196.tif 000002
【特許請求の範囲】
【請求項１】
画像を生成するためのシステムであって、
画像生成設定を受信し、
被写体(object)のＣＴスキャンによって生成された投影(projection)データを受信し、
前記被写体の第１の視野(field-of-view)を有する第１の３次元のデータセットであり、前記投影データに基づく第１の３次元のデータセットを生成し、
前記３次元のデータセットに基づいて第１の画像を自動的に生成し、
少なくとも１次元で前記第１の視野よりも小さい前記被写体の第２の視野を有する第２の３次元のデータセットであり、前記投影データおよび前記画像生成設定(image generation settings)に基づく第２の３次元のデータセットを自動的に生成し、
少なくとも１つのネットワークを介してサービス提供者に前記第２の３次元のデータセットを送信する
ように構成されたプロセッサ
を備える、システム。
【請求項２】
前記被写体が患者の頭部であり、前記プロセッサが、
前記患者の咬合(occulusal)平面を自動的に検出するステップと、
前記咬合平面からの第１の所定の垂直距離に前記第２の視野の上縁(upper edge)を位置付ける(locating)ステップと、
前記咬合平面からの第２の所定の垂直距離に前記第２の視野の下縁(lower edge)を位置付けるステップと
によって前記第２の視野を判定する(determine)ようにさらに構成された、請求項１に記載のシステム。
【請求項３】
前記プロセッサが、
前記被写体内で１セットの少なくとも１つの金属品(metal item)を自動的に検出するステップと、
前記セットの少なくとも１つの金属品を含む垂直領域を判定するステップと、
前記垂直領域の少なくとも１つの縁からの第１の所定の垂直距離に前記第２の視野の上縁を位置付けるステップと、
前記垂直領域の前記少なくとも１つの縁からの第２の所定の垂直距離に前記第２の視野の下縁を位置付けるステップと
によって前記第２の視野を判定するようにさらに構成された、請求項１に記載のシステム。
【請求項４】
前記プロセッサがさらに、ディスプレイに前記第１の画像を出力するように構成された、請求項１に記載のシステム。
【請求項５】
前記プロセッサが、前記第１の画像が前記ディスプレイに出力される間に、前記第２の３次元のデータセットを自動的に生成するように構成された、請求項４に記載のシステム。
【請求項６】
前記第２の３次元のデータセットが、前記第１の３次元のデータセットより高い解像度を有する、請求項１に記載のシステム。
【請求項７】
前記被写体が、人間の頭部を含む、請求項１に記載のシステム。
【請求項８】
前記サービス提供者が、デバイス製造業者を含む、請求項７に記載のシステム。
【請求項９】
前記デバイス製造業者が、歯科器具製造業者を含む、請求項８に記載のシステム。
【請求項１０】
前記第１の視野が、頭部のかなりの部分を含む、請求項１に記載のシステム。
【請求項１１】
前記第２の視野が、前記頭部に含まれる顎および歯を含む、請求項１０に記載のシステム。
【請求項１２】
画像を生成する方法であって、
オペレータからの画像生成設定をプロセッサで受信するステップと、
前記画像生成設定に基づいてＣＴ画像装置での被写体のスキャンを前記プロセッサによって開始するステップと、
前記スキャン中に取得された前記ＣＴ画像装置からの投影データを前記プロセッサによって受信するステップと、
第１の視野を有する第１の３次元のデータセットであり、前記投影データに基づく第１の３次元のデータセットを前記プロセッサによって生成するステップと、
前記第１の３次元のデータセットに基づいて前記被写体の第１の画像を前記プロセッサによって自動的に生成するステップと、
前記第１の画像を前記オペレータに表示するための信号を生成するステップと、
少なくとも１次元で前記第１の視野よりも小さい第２の視野を有する第２の３次元のデータセットを前記プロセッサで自動的に生成するステップであって、前記第２の３次元のデータが前記投影データおよび前記画像生成設定に基づく、ステップと、
少なくとも１つのネットワークを介してデバイス製造業者に前記第２の３次元のデータセットを送信するステップと
を含む、方法。
【請求項１３】
前記被写体が患者の頭部であり、
前記患者の咬合平面を自動的に検出するステップと、
前記咬合平面からの第１の所定の垂直距離に前記第２の視野の上縁を位置付けるステップと、
前記咬合平面からの第２の所定の垂直距離に前記第２の視野の下縁を位置付けるステップと
によって前記第２の視野を判定するステップをさらに含む、請求項１２に記載の方法。
【請求項１４】
前記被写体内で１セットの少なくとも１つの金属品を自動的に検出するステップと、
前記セットの少なくとも１つの金属品を含む垂直領域を判定するステップと、
前記垂直領域の少なくとも１つの縁からの第１の所定の垂直距離に前記第２の視野の上縁を位置付けるステップと、
前記垂直領域の前記少なくとも１つの縁からの第２の所定の垂直距離に前記第２の視野の下縁を位置付けるステップと
によって前記第２の視野を判定するステップをさらに含む、請求項１２に記載の方法。
【請求項１５】
前記第２の３次元のデータセットを生成するステップが、前記第１の画像が前記オペレータに表示される間に、前記第２の３次元のデータセットを自動的に生成するステップを含む、請求項１２に記載の方法。
【請求項１６】
前記第２の３次元のデータセットを生成するステップが、前記第１の３次元のデータセットよりも高い解像度を有する３次元のデータセットを生成するステップを含む、請求項１２に記載の方法。
【請求項１７】
前記投影データを受信するステップが、人間の頭部のスキャンに基づくデータを受信するステップを含む、請求項１２に記載の方法。
【請求項１８】
前記第２の３次元のデータセットを前記デバイス製造業者に送信するステップが、前記第２の３次元のデータセットを歯科器具製造業者に送信するステップを含む、請求項１７に記載の方法。
【請求項１９】
前記第１の視野が、頭部のかなりの部分を含む、請求項１２に記載の方法。
【請求項２０】
前記第２の視野が、前記頭部の顎および歯を含む、請求項１９に記載の方法。
【請求項２１】
画像を生成するためのシステムであって、
被写体をスキャンし、投影データを生成するように構成された、画像装置と、
画像生成設定を受信し、
前記画像生成設定に基づいて前記画像装置で前記被写体のスキャンを開始し、
前記スキャン中に生成された前記画像装置からの投影データを受信し、
前記被写体の第１の視野を有する第１の３次元のデータセットであり、前記投影データに基づく第１の３次元のデータセットを生成し、
前記第１の３次元のデータセットに基づいて、第１の画像を自動的に生成し、
前記第１の画像をオペレータに表示するための信号を生成し、
前記第１の画像が前記オペレータに表示される間に、少なくとも１次元で前記第１の視野よりも小さい前記被写体の第２の視野を有する第２の３次元のデータセットであり、前記投影データおよび前記画像生成設定に基づく第２の３次元のデータセットを自動的に生成し、
少なくとも１つのネットワークを介して歯科器具製造業者によって操作される遠隔サーバであり、前記第２の３次元のデータセットを自動的に処理して少なくとも１つの歯科器具のための設計または治療計画を生成するように構成された遠隔サーバに前記第２の３次元のデータセットを自動的に送信する
ように構成された、プロセッサと
を備える、システム。
【発明の詳細な説明】
【技術分野】
【０００１】
[0001]本発明の実施形態は、歯科画像システムなどの医療画像システムに関する。詳細には、本発明の実施形態は、患者の単一のスキャンから複数の画像を自動的に生成するためのシステムおよび方法に関する。
【背景技術】
【０００２】
[0002]従来のコーンビームコンピュータ断層撮影（「ＣＢＣＴ」）歯科画像システムは、患者の３次元データを生成する。３次元の、体積データは、異なる目的で使用することができる。たとえば、内科医、歯科医、および関連臨床医学者は、通常は、患者治療または計画のために速く画像を提供するために、完全な視野を有するが低い（すなわち、粗い）解像度を有する３次元のデータを必要とする。一方で、デバイスまたは器具製造業者（たとえば、歯科または歯列矯正デバイス製造業者）および特注の治療計画を提供する企業などのサービス提供者は、器具を設計するまたは特注の治療計画を作成するために自動的に処理することができる、部分的な視野を有するがより高い（すなわち、より微細な）解像度を有する３次元のデータをしばしば必要とする。
【先行技術文献】
【特許文献】
【０００３】
【特許文献１】米国特許第８，３２５，８７４号
【発明の概要】
【発明が解決しようとする課題】
【０００４】
[0003]２つの異なるタイプの３次元のデータを提供することは有用であろうが、多くの市販のＣＢＣＴ画像システムは、患者の単一のスキャンを実行し、単一の再構成を実行して、患者治療および計画において臨床医学者が使用するための体積データを作成する。１つまたは複数の別個の３次元のデータセットが外部のサービス提供者のために必要とされる場合、オペレータは、その別個のデータセットの再構成を手動で開始しなければならない。追加の再構成の手動での開始は、オペレータの時間を要し、エラーの可能性をもたらす。
【課題を解決するための手段】
【０００５】
[0004]本発明の実施形態は、患者の頭部などの被写体のコンピュータ断層撮影（「ＣＴ」）スキャン中にとらえられた投影データから第２の３次元の、体積データセットを自動的に再構成するための方法およびシステムを提供する。本システムは、サービス提供者、たとえば歯列矯正デバイス製造業者、に第２の３次元の、体積データセットを自動的に送信するように構成され得る。好ましくは、その第２の３次元の、体積データセットは、自動処理に適した特徴を有する。
【０００６】
[0005]一実施形態は、画像を生成するためのシステムを提供する。本システムは、プロセッサを含む。本プロセッサは、画像生成設定を受信し、被写体のＣＴスキャンによって生成された投影データ（１セットのｘ線投影フレームに加えた、各投影フレームのｘ線源およびｘ線検出器の位置）を受信し、その投影データからその被写体の第１の視野を有する第１の３次元の、体積データセットを生成し、その第１の３次元の、体積データセットに基づいて第１の画像を自動的に生成するように構成される。本プロセッサはまた、少なくとも１次元で第１の視野よりも小さい、被写体の第２の視野を有する、第２の３次元の、体積データセットをその投影データおよびその画像生成設定から自動的に生成し、少なくとも１つのネットワークを介してサービス提供者にその第２の３次元の、体積データセットを送信するように構成される。任意選択で、その第２の３次元の、体積データセットは、その第２の３次元の、体積データセットに基づく画像を生成するまたはオペレータに表示することなしに、生成され、サービス提供者に送信され得る。別法として、第２の画像は、その第２の３次元の、体積データセットに基づいて生成され、オペレータに表示され得る。
【０００７】
[0006]もう１つの実施形態は、画像を生成する方法を提供する。本方法は、以下を含む：オペレータからの画像生成設定をプロセッサで受信するステップと、その画像生成設定に基づいてＣＴ画像装置での被写体のスキャンをプロセッサで開始するステップと、そのスキャン中に取得されるＣＴ画像装置からの投影データをプロセッサで受信するステップと、その被写体の第１の視野を有する第１の３次元の、体積データセットをその投影データからプロセッサで生成するステップ。本方法はまた、その第１の３次元の、体積データセットに基づいてその被写体の第１の画像をプロセッサで自動的に生成するステップと、その第１の画像をオペレータに表示するための信号を生成するステップとを含む。加えて、本方法は、その投影データおよびその画像生成設定に基づいて、少なくとも１次元で第１の視野よりも小さい第２の視野を有する第２の３次元の、体積データセットをプロセッサで自動的に生成するステップと、少なくとも１つのネットワークを介してデバイス製造業者に第２の３次元の、体積データセットを送信するステップとを含む。任意選択で、その第２の３次元の、体積データセットは、その第２の３次元の、体積データセットに基づく画像を生成またはオペレータに表示することなしに、生成し、サービス提供者に送信することができる。別法として、第２の画像は、その第２の３次元の、体積データセットに基づいて生成され、オペレータに表示され得る。
【０００８】
[0007]さらにもう１つの実施形態は、画像を生成するためのシステムを提供する。本システムは、以下を含む：被写体をスキャンし、投影データを生成するように構成された画像装置と、プロセッサ。本プロセッサは、画像生成設定を受信し、その画像生成設定に基づいて画像装置で被写体のスキャンを開始し、そのスキャン中に生成される投影データをその画像装置から受信し、その被写体の第１の視野を有するその投影データからの第１の３次元の、体積データセットを生成し、その第１の３次元の、体積データセットから自動的に第１の画像を生成し、その第１の画像をオペレータに表示するための信号を生成するように構成される。本プロセッサはまた、第１の画像がオペレータに表示される間に、その投影データおよびその画像生成設定から第２の３次元の、体積データセットを自動的に生成するように構成され、その第２の３次元の、体積データセットは、少なくとも１次元でその第１の視野よりも小さい、その被写体の第２の視野を有する。加えて、本プロセッサは、任意選択でオペレータにその第２の３次元の、体積データセットから生成される画像を表示することなしに、少なくとも１つのネットワークを介して歯科器具製造業者によって操作される遠隔サーバにその第２の３次元の、体積データセットを自動的に送信するように構成される。その遠隔サーバは、少なくとも１つの歯科器具を製造するために、その第２の３次元の、体積データセットを自動的に処理する。
【０００９】
[0008]本発明の他の態様が、詳細な説明および添付の図面を考慮することによって、明らかとなろう。
【００１０】
[0009]本特許または申請ファイルは、色付きで制作された少なくとも１つの図面を含む。色付きの図面（複数可）を有する本特許または特許申請公報のコピーは、要求および必要な料金の支払いに応じて、当局によって提供されよう。
【図面の簡単な説明】
【００１１】
【図１】[0010]医療画像システムの図である。
【図２】[0011]図１の医療画像システムの概略図である。
【図３】[0012]図１の医療画像システムによって実行される単一のＣＴスキャンから複数の画像を自動的に生成する方法の流れ図である。
【図４】[0013]ログイン画面の図である。
【図５】[0014]患者選択画面の図である。
【図６】[0015]プロトコル選択画面の図である。
【図７】[0016]スキャンタイプ選択画面の図である。
【図８】[0017]データ取得画面の図である。
【図９】[0018]患者治療および計画のために臨床医学者によって使用される画像の図である。
【図１０】[0019]サービス提供者によって使用される画像の図である。
【発明を実施するための形態】
【００１２】
[0020]本発明の任意の実施形態が詳細に説明される前に、本発明はその出願において以下の説明に記載されるまたは以下の図面に示される構成要素の構造の詳細および配列に限定されないことを理解されたい。本発明は、他の実施形態が可能であり、様々な方法で実施または実行が可能である。
【００１３】
[0021]また、本明細書で使用される表現および専門用語は説明を目的とし、限定として見なされるべきではないことを理解されたい。本明細書における「含む」、「備える」または「有する」およびそれらの変形の使用は、その後に記載される項目およびそれらの同等物ならびに追加の項目を包含するものである。「取り付けられた」、「接続された」および「結合された」という用語は、広義で使用され、直接および間接の取付け、接続および結合を包含する。さらに、「接続された」および「結合された」は、物理的または機械的接続または結合に限定されず、直接でも間接でも、電気的接続または結合を含み得る。また、電子通信および通知は、直接接続、ワイヤレス接続などを含む任意の知られている手段を使用して、実行され得る。
【００１４】
[0022]複数のハードウェアおよびソフトウェアベースのデバイス、ならびに複数の異なる構造的構成要素が、本発明を実装するために使用され得ることに留意されたい。さらに、後のパラグラフで説明するように、図面に示す具体的な構成は、本発明の実施形態を例示するものであり、他の代替構成が可能である。
【００１５】
[0023]図１は、医療画像システム１００を示す。システム１００は、画像装置１０５およびワークステーション１１０を含む。画像装置１０５は、被写体をスキャンするコンピュータ断層撮影（「ＣＴ」）スキャナを含む。ワークステーション１１０は、コンピュータ１１０Ａ、および、ディスプレイ、たとえばタッチ画面１１０Ｂ、を含む。いくつかの実施形態で、コンピュータ１１０Ａおよびタッチ画面１１０Ｂは、単一のデバイス内で結合される。また、いくつかの実施形態で、ワークステーション１１０は、コンピュータ１１０Ａおよび／またはタッチ画面１１０Ｂに接続された、キーボード、マウス、プリンタなどの周辺デバイスを含む。加えて、いくつかの実施形態では、非タッチセンサ式の画面が、タッチ画面１１０Ｂの代わりにまたはタッチ画面１１０Ｂに加えて使用されることを理解されたい。
【００１６】
[0024]図２に関して以下にさらに詳しく説明するように、コンピュータ１１０Ａは、画像装置１０５によって生成された投影データを受信し、その投影データから３次元の、体積データの１つまたは複数のセットを生成し、３次元の、体積データのそれらのセットのうちの少なくとも１つに基づいて複数の画像を構築し、タッチ画面１１０Ｂにその生成された画像のうちの少なくとも１つを表示し、３次元の、体積データのそれらのセットのうちの少なくとも１つをサービス提供者に送信するように構成される。いくつかの実施形態で、コンピュータ１１０Ａはまた、画像装置１０５の動作を制御する（たとえば、ユーザ入力またはコマンドに基づいて）ように構成される。コンピュータ１１０Ａは、１つまたは複数のワイヤードまたはワイヤレス接続によって画像装置１０５に接続され得る。
【００１７】
[0025]画像装置１０５は、たとえば、歯科ＣＴデバイスであり、搭載コンピュータまたはプロセッサ１１２、放射線検出器１１５、ガントリ１２０、撮像される被写体もしくは患者のための支え１２５、および、放射線源１３０を含む。放射線検出器１１５は、放射線源１３０の向かい側のガントリ１２０上に置かれ、複数の検出要素を有する検出器配列１３５を含む。スキャン中、患者は、支え１２５に座るか立つ（そして、彼のまたは彼女の顎を顎の支え１４０内に置く）。しかし、本発明は、座ったまたは立った患者を受け入れるように設計されたシステムに限定されない。たとえば、いくつかの実施形態で、患者は、横になってもよい。ガントリ１２０は、患者の頭部の周りを回転し、ガントリ１２０が回転するとき、放射線源１３０が動いて、患者の頭部に様々な角度で放射線を向ける。放射線検出器１１５は、患者を通過する放射線を検出し、画像装置１０５内の搭載コンピュータまたはプロセッサ１１２に送信される１セットの投影フレームを生成する。搭載コンピュータまたはプロセッサ１１２は、未加工の投影フレームを受信し、そしてまた、放射線源１３０および検出器１１５の位置を記録する。そのスキャン中またはその後に、搭載コンピュータまたはプロセッサ１１２は、その投影フレームと放射線源１３０および検出器１１５の位置とを備える投影データをワークステーションコンピュータ１１０Ａに送信する。
【００１８】
[0026]図２に示すように、コンピュータ１１０Ａは、画像装置１０５、タッチ画面１１０Ｂ、および、サービス提供者によってホストされた遠隔サーバ１９０に接続される。コンピュータ１１０Ａは、プロセッサ２００、非一時的コンピュータ可読媒体２０２、および、入力／出力インターフェース２０４を含む。他の構造で、コンピュータ１１０Ａは、追加の、より少ない、または、異なる構成要素を含むことを理解されたい。プロセッサ２００は、媒体２０２から命令およびデータを検索し、いくつかある中でも、画像装置１０５から投影データを受信するための命令を実行し、その投影データから３次元の、体積データの１つまたは複数のセットを生成し、タッチ画面１１０Ｂにデータを出力し（すなわち、タッチ画面１１０Ｂ上にデータを表示するための信号を生成し）、サーバ１９０にデータを出力するように構成される。
【００１９】
[0027]入力／出力インターフェース２０４は、プロセッサ２００から外部のシステム、ネットワーク、および／またはデバイスにデータを送信し、外部のシステム、ネットワーク、および／またはデバイスからデータを受信する。具体的には、入力／出力インターフェース２０４は、１つまたは複数のワイヤードまたはワイヤレス接続および／またはネットワークを介して、画像装置１０５、タッチ画面１１０Ｂ、およびサーバ１９０と通信する。入力／出力インターフェース２０４はまた、媒体２０２で外部のソースから受信されるデータを記憶する、および／または、そのデータをプロセッサ２００に提供することができる。
【００２０】
[0028]コンピュータ可読媒体２０２は、プログラム命令とユーザインターフェース（「ＵＩ」）アプリケーション（または「アプリケーション」）２１０を含むデータとを記憶する。プロセッサ２００によって実行されるとき、ＵＩアプリケーション２１０は、ユーザコマンドを受信し、画像装置１０５からデータを取得し、タッチ画面１１０Ｂ上でユーザに画像および他の情報を表示し、画像をサーバ１９０に送信する。
【００２１】
[0029]図２に示すように、サーバ１９０は、インターネット、ワイドエリアネットワーク（「ＷＡＮ」）、ローカルエリアネットワーク（「ＬＡＮ」）、または、それらの組合せなどのネットワークによってコンピュータ１１０Ａに接続され得る。サーバ１９０は、サービス提供者によって操作され、コンピュータ１１０Ａから３次元の、体積データまたは画像を受信するための命令を実行する。いくつかの実施形態で、サーバ１９０はまた、コンピュータ１１０Ａから受信された３次元の、体積データまたは画像を自動的に処理するための命令を実行して様々な出力を生成する。たとえば、本明細書で使用されるように、「サービス提供者」という用語は、ユーザのために臨床医学者の治療または治療の計画を支援してデバイスまたはサービスを提供する任意の実体を含む。たとえば、サービス提供者は、臨床医学者のための特注の治療計画を生成し得る。サービス提供者はまた、患者のためのデバイス計画または実際のデバイスを生成し得る。そのデバイスは、固定装置、ブリッジ、ブレース、インプラント、および他の歯列矯正デバイスなどの歯科器具を含み得る。
【００２２】
[0030]ユーザは、システム１００を使用してＣＴスキャンを開始する。具体的には、コンピュータ１１０Ａに含まれるプロセッサ２００は、ユーザインターフェースアプリケーション２１０を実行して、タッチ画面１１０Ｂ上でユーザに様々な画面を表示する。ユーザは、その画面上のボタン（タッチ画面１１０Ｂ自体またはキーボードもしくはマウスなどの別個の周辺デバイスを介して選択可能な）を使用し、表示された画面を介してコマンドおよび画像生成設定を入力して、スキャンを開始し、スキャン中に取得されるデータを調べる。図３に示すように、その処理過程を開始するために、ユーザは、ユーザアプリケーション２１０にログインする（ステップ２２０で）。たとえば、図４は、アプリケーション２１０によって生成および表示されるログイン画面２２２を示す。ログイン画面２２２は、ユーザ名およびパスワードの入力をユーザに求め、次へまたは入力ボタン２２４を含む。いくつかの実施形態で、ログイン画面２２２はまた、電源オフボタン２２６およびヘルプボタン２２８を含む。
【００２３】
[0031]前述の説明は、コンピュータ１１０Ａを介して医療画像システム１００を制御するユーザを参照するが、システム１００は、そのユーザがシステム１００を直接制御できるようにするために、それ自体の搭載ユーザインターフェースを含み得ることに留意されたい。その搭載ユーザインターフェースを介する制御は、コンピュータ１１０Ａを介する制御の代わりまたはそれに加えてでもよい。
【００２４】
[0032]ユーザがログインした後、そのユーザは患者を選択する（ステップ２３０で）。たとえば、図５は、アプリケーション２１０によって生成および表示される患者選択画面２３２を示す。画面２３２は、スケジュールされたスキャンまたは検査のリスト２３４を含む。いくつかの実施形態で、それらのスケジュールされたスキャンまたは検査は、画像保存通信システム（「ＰＡＣＳ」）または患者管理システムなどの別個のシステムまたはデバイスによって提供される。図５に示すように、画面２３２はまた、リスト２３４に含まれる特定の患者に関する追加のデータを提供する詳細欄２３６を含む。リスト２３４から患者を選択した後（たとえば、リストに記載された患者をクリックすることによって）、ユーザは、次へボタン２３８を選択することができる。
【００２５】
[0033]ユーザはまた、画像生成設定を選択する。たとえば、ユーザは、スキャンプロトコルおよびスキャンタイプを選択することができる（ステップ２４０で）。図６は、アプリケーション２１０によって生成および表示されるプロトコル選択画面２４２を示し、図７はアプリケーション２１０によって生成および表示されるスキャンタイプ選択画面２４４を示す。画面２４２および２４４は、ユーザが特定の画面で選択を行った後に選択することができる次へボタン２４６を含む。加えて、画面２４２および２４４は、ユーザが前に表示された画面に戻るために選択することができる戻るボタン２４８を含む。いくつかの実施形態で、プロトコル選択画面２４２に含まれるそれらのスキャンプロトコルのうちの１つまたは複数は、特定のタイプのスキャンのために事前に定義された画像生成設定を含む。以下により詳細に説明するように、その画像生成設定は、サービス提供者のための３次元の、体積データまたは画像を自動的に生成するために使用される。いくつかの実施形態で、それらのスキャンプロトコルおよび／または関連画像生成設定のうちの１つまたは複数は、ユーザによって事前選択され、そのユーザの「お気に入り」として設定される。したがって、ユーザがアプリケーション２１０にログインするとき、アプリケーション２１０は、プロトコル選択画面２４２にそのユーザの事前定義された「お気に入り」を含む。
【００２６】
[0034]ユーザが患者、スキャンプロトコル、およびスキャンタイプを選択した後、そのユーザは、スキャンを開始する（たとえば、スキャンタイプ選択画面２４４で次へボタン２４６を選択することによって）（ステップ２５０で）。スキャンを開始するために、アプリケーション２１０は、画像装置１０５と通信して、ユーザによって指定されたようにスキャンを開始する（ステップ２５２で）。いくつかの実施形態で、スキャンが実行され、アプリケーション２１０が画像装置１０５から投影データを取得する間に、アプリケーション２１０は、図８に示すように、画像取得画面２５４を表示する。
【００２７】
[0035]その投影データから、アプリケーション２１０は、撮像される患者の頭部または他の被写体の内部構造を表す第１の３次元の、体積データセットを生成する（ステップ２５３で）。アプリケーション２１０はまた、第１の３次元のデータセットに基づいて患者治療または計画のための第１の画像を自動的に再構成する（ステップ２６０で）ように構成される。第１の画像は、患者の頭部を表す３次元のデータの２次元の描画を含み得る。アプリケーション２１０は、スキャンの前にユーザによって選択された画像生成設定（たとえば、スキャンプロトコルおよび／またはスキャンタイプ）に基づいて第１の３次元の、体積データセットおよび／または第１の画像を生成するように構成され得る。たとえば、第１の画像は、通常は、但し必ずではなく、実質的に患者の頭部全体（たとえば、凡そ下顎から前頭部まで、または、高さ約１３センチメートルおよび幅約１６センチメートル）である視野（「ＦＯＶ」）を有する。アプリケーション２１０は、図９に示すように、タッチ画面１１０Ｂに第１の画像２６５を表示するための信号を生成する（ステップ２７０で）。いくつかの実施形態で、第１の画像２６５は、パノラマビュー２６５ａ、サイドビュー２６５ｂ、フロントビュー２６５ｃ、およびトップビュー２６５ｄなどの画像の複数のバージョンまたはビューを含み得る。臨床医学者は、第１の画像２６５を使用して、スキャンの品質および位置決めを調べ、患者を治療し、患者の治療の計画を立てる。アプリケーション２１０はまた、第１の画像２６５をローカル画像データベースサーバに送信し、そこで、第１の画像２６５は他の臨床医学者および他のワークステーションによってアクセスされ得る。
【００２８】
[0036]アプリケーション２１０はまた、投影データおよび画像生成設定に基づいてサービス提供者の第２の３次元の、体積データセットを自動的に生成する（ステップ２８０で）。第２の３次元の、体積データセットは、通常は、高さなどの少なくとも１次元でその第１の３次元の、体積データセットのＦＯＶよりも小さいＦＯＶを有する。たとえば、図１０に示すように、第２の３次元の、体積データセットのＦＯＶは、患者の顎またはその一部（たとえば、完全なＦＯＶの下の約８センチメートル）のみを含み得る。任意選択で、但し必ずではなく、アプリケーション２１０は、第２の３次元の、体積データセットからの第２の画像２８５を生成することができる。いくつかの実施形態で、第２の画像２８５は、パノラマビュー２８５ａ、サイドビュー２８５ｂ、フロントビュー２８５ｃ、およびトップビュー２８５ｄなどの画像の複数のバージョンまたはビューを含み得る。
【００２９】
[0037]いくつかの実施形態で、第２の３次元の、体積データセットは、第１の３次元の、体積データセットの解像度よりも高い解像度を有する（すなわち、より微細、または、より小さいボクセルを有する）。たとえば、第１の３次元の、体積データセットは、約０．２５ミリメートルの解像度を有することができ、そして、第２の３次元の、体積データセットは約０．２０ミリメートルの解像度を有することができる。しかし、第２の３次元の、体積データセットはより高い解像度を有するが、第２の３次元の、体積データセットのより小さいＦＯＶは、第２の３次元の、体積データセットの送信および処理を遅らせるまたは複雑にすることあるいは第１の３次元の、体積データセットの再構成を遅らせるまたは妨げることなしに、画像が速く再構成され得るようにする。
【００３０】
[0038]いくつかの実施形態で、アプリケーション２１０は、第１の３次元の、体積データセットの生成と並行して、第２の３次元の、体積データセットを生成する。他の実施形態で、アプリケーション２１０は、第２の３次元の、体積データセットを生成する前に第１の３次元の、体積データセットを生成する、またはその逆を行う。たとえば、アプリケーション２１０は、第１の３次元の、体積データセットが生成された後に、そして第１の画像２６５がタッチ画面１１０Ｂに表示される間に、第２の３次元の、体積データセットを生成するように構成され得る。したがって、アプリケーション２１０は、第１の３次元の、体積データセットおよび第１の画像２６５の生成および臨床医学者の見直しを遅らせることなしに、第２の３次元の、体積データセットを生成する。
【００３１】
[0039]図３に示すように、第２の３次元の、体積データセットが作成された後、アプリケーション２１０は、歯科器具製造業者または特注の治療計画を作成する実体などのサービス提供者に第２の３次元の、体積データセットを自動的に送信する（ステップ２９０で）。いくつかの実施形態では、第２の３次元の、体積データセットはオペレータによって使用されず、したがって、そのオペレータは第２の３次元の、体積データセットに基づいて画像２８５を見直す必要はないので、アプリケーション２１０は、第２の３次元の、体積データセットに基づいて任意の画像を生成するまたはオペレータに表示することなしに、サービス提供者に第２の３次元の、体積データセットを送信する。図２に示すように、アプリケーション２１０は、サービス提供者によって操作されるサーバ１９０に第２の３次元の、体積データセットを送信する。いくつかの実施形態で、サーバ１９０は、第２の３次元の、体積データセットを自動的に処理して、要求された出力（たとえば、治療計画、デバイス設計、デバイスなど）を生成するように構成される。
【００３２】
[0040]好ましくは、但し必ずではなく、第２のＦＯＶは、第１のＦＯＶと同じ垂直寸法を有するが、より小さい垂直寸法を有する。たとえば、第２のＦＯＶは、患者の目などの特徴を含むことなしにその患者の顎および歯を包含するように選択され得る。第２のＦＯＶは、垂直および水平の高さおよび位置の固定パラメータを使用し、前もって選択することができる。別法として、または加えて、第２のＦＯＶは、第１の３次元の、体積データセットに現れる患者の特徴に基づいて適切な垂直の高さおよび位置を自動的に判定することによって、選択され得る。
【００３３】
[0041]たとえば、一実施形態で、第２のＦＯＶの垂直寸法および位置は、以下のステップによって判定され得る：第１の３次元の、体積データセットを生成するステップと、その開示を参照により本明細書に組み込む米国特許第８，３２５，８７４号に記載されるように患者の咬合平面またはマスタアーチを自動的に検出するステップと、咬合平面またはマスタアーチからの所定の垂直距離に第２のＦＯＶの上縁および下縁を設定するステップ。任意選択で、第２のＦＯＶの上縁および下縁は、咬合平面またはマスタアーチから等距離にすることができる。
【００３４】
[0042]加えて、第２のＦＯＶの垂直寸法および位置は、以下のステップによって判定され得る：患者の歯に添付された金属品（たとえば、ブラケット）の存在および位置を検出するステップと、金属のブラケットが現れる垂直範囲からの所定の垂直距離に第２のＦＯＶの上縁および下縁を設定するステップ。任意選択で、第２のＦＯＶの上縁および下縁は、金属のブラケットが現れる垂直範囲から等距離にすることができる。
【００３５】
[0043]アプリケーション２１０は、患者の頭部（たとえば、顎）のスキャンを表すデータセットと使用するものとして説明されるが、アプリケーション２１０は、人体の任意の部分または任意の被写体のスキャンから取得されるデータに基づいて異なる目的で３次元の、体積データセットおよび画像を生成するように構成され得ることを理解されたい。加えて、他のタイプのスキャニング手順が、そのデータセットを生成するために使用され得る。加えて、アプリケーション２１０は、第１のおよび第２の３次元の、体積データセットのみではなくそれ以上のものを生成するように構成され得ることを理解されたい。たとえば、アプリケーション２１０は、サービス提供者による処理のための複数の３次元の、体積データセットを自動的に生成するように構成され得る。また、第１のおよび第２の３次元の、体積データセットの特性は、臨床医学者および／またはサービス提供者の必要に応じて変化し得ることを理解されたい。たとえば、いくつかの実施形態で、第１のおよび第２の３次元の、体積データセットは、同ＦＯＶおよび／または同解像度を有し得る。加えて、いくつかの実施形態で、ＵＩアプリケーション２１０の機能性は、複数のアプリケーションまたはモジュールの間で分散され得る。たとえば、いくつかの実施形態で、別個のアプリケーションまたはモジュールが、第１のおよび第２の３次元の、体積データセットを生成する。
【００３６】
[0044]本発明の様々な特徴および利点が、以下の特許請求の範囲に記載される。
【符号の説明】
【００３７】
１００  システム
１０５  画像装置
１１０  ワークステーション
１１０Ａ  コンピュータ
１１０Ｂ  タッチ画面
１１２  プロセッサ
１１５  放射線検出器
１２０  ガントリ
１２５  支え
１３０  放射線源
１３５  検出器配列
１４０  支え
１９０  遠隔サーバ
２００  プロセッサ
２０２  非一時的コンピュータ可読媒体
２１０  ユーザインターフェースアプリケーション
２２２  ログイン画面
２２４  入力ボタン
２２６  電源オフボタン
２２８  ヘルプボタン
２３２  画面
２３４  リスト
２３６  詳細欄
２３８  次へボタン
２４２  プロトコル選択画面
２４４  スキャンタイプ選択画面
２４６  次へボタン
２４８  戻るボタン
２５４  画像取得画面
２６５  第１の画像
２６５ａ  パノラマビュー
２６５ｂ  サイドビュー
２６５ｃ  フロントビュー
２６５ｄ  トップビュー
２８５  第２の画像
２８５ａ  パノラマビュー
２８５ｂ  サイドビュー
２８５ｃ  フロントビュー
２８５ｄ  トップビュー
【図１】
2014151196.tif 000003
【図２】
2014151196.tif 000004
【図３】
2014151196.tif 000005
【図４】
2014151196.tif 000006
【図５】
2014151196.tif 000007
【図６】
2014151196.tif 000008
【図７】
2014151196.tif 000009
【図８】
2014151196.tif 000010
【図９】
2014151196.tif 000011
【図１０】
2014151196.tif 000012
【外国語明細書】
2014151196000001.pdf